(57)【特許請求の範囲】
【請求項１】
回転ノブであって、ケーシング内で回転可能に支持された操作要素（１０）と、該操作要素（１０）と回転不能に結合して切替・制御手段の軸にはめ込むことができる連結要素とを包含した形式のものにおいて、
前記連結要素が、前記操作要素（１０）内で少なくとも第１の半径方向に移動可能に配置された第１のスライド部材（２０）と、該スライド部材（２０）と結合可能で、第１の半径方向に対して９０゜の角度を成す第２の半径方向に移動可能な、前記切替・制御手段の軸を保持する第２のスライド部材（３０）とを包含しており、スライド部材（２０，３０）が入れ子式に配置されており、第２のスライド部材（３０）が第１のスライド部材（２０）の内部に配置されており、第２のスライド部材（３０）がシリンダ（３１）として形成されており、その外径は第１のスライド部材（２０）の内径より小さく、前記切替・制御手段の軸に対する軸方向に延びた保持部（３５）と、その外側周縁に配置された突起（３２、３３）とを有していて、該突起（３２、３３）が第１のスライド部材（２０）の対をなして互いに向き合う開口部（２２、２３；２４、２５）と係合していることを特徴とする回転ノブ。
【請求項２】
前記操作要素（１０）が片側の開いた中空シリンダ（１１）として形成されており、該中空シリンダ（１１）がその内側周縁に２つの突出部（１２）を有している、請求項１記載の回転ノブ。
【請求項３】
第１のスライド部材（２０）が片側の開いた中空シリンダ（２１）として形成されており、その外径は前記操作要素（１０）の内径よりも小さく、そのシリンダ胴内には９０゜の角度を成して互いに向き合うそれぞれ２つの開口部（２２、２３；２４、２５）が設けられており、それらの互いに向き合う２つの開口部が前記操作要素（１０）の突出部（１２）と係合する、請求項１または２記載の回転ノブ。
【請求項４】
第１のスライド部材（２０）のそれぞれ互いに向き合う開口部（２２、２３；２４、２５）の間の角度が実質的に９０°である、請求項１から３のいずれか１項記載の回転ノブ。
【請求項５】
前記操作要素（１０）のシリンダ胴（１１）の外周に、半径方向の環状の凹部（１３）が設けられており、該凹部（１３）が、これと相補的に形成された、ケーシングプレートのケーシング開口部内で環状の突出部と係合している、請求項１記載の回転ノブ。
【発明の詳細な説明】
【０００１】
【発明の属する技術分野】
本発明は、回転ノブであって、ケーシング内で回転可能に支持された操作要素と、該操作要素と回転不能に結合して切替・制御手段の軸にはめ込むことができる連結要素とを包含した形式のものに関する。
【０００２】
【従来の技術】
このような回転ノブは、たとえば自動車ラジオなどに使用される。この場合、回転ノブは、たとえばそのために設けられたラジオの正面プレートの開口部内に存在している。切替・制御手段の軸、たとえば音量調節器のポテンシオメータ軸が、回転ノブの連結要素との結合が可能であるほどに大きくケーシングの内部部分から突き出している。
【０００３】
一方では回転ノブの連結要素は切替・制御手段の軸にはめ込まれているが、他方では回転ノブはそのために設けられたケーシングの正面プレート内の開口部内で案内されているので、軸が連結要素の中心に正確に配置されていないか、切替・制御手段の軸が少し傾いていて、そのために揺動する回転運動を行うか、あるいは操作要素の回転軸と切替・制御手段の軸とが互いに正確に直線ではなく、平行にずれて配置されていると、たとえば回転ノブが傾き、さらには回転ノブの回転運動に支障をきたすことが起こり得る。
【０００４】
つまり、これらの場合に、操作要素は回転運動において円運動ではなく、偏心的な運動、例えば楕円運動をするので、操作要素のために正面プレート内に設けられた開口部内で操作要素と正面プレートの接触が生じ、その結果として摩擦運動が生じ得る。
【０００５】
極端な場合には、回転ノブ全体が偏心運動をすることによって、回転ノブのために設けられた正面プレートの開口部内に回転ノブが挟まって動かなくなることさえ起きる。
【０００６】
【発明が解決しようとする課題】
本発明の課題は、冒頭で述べた形式の回転ノブを改良して、技術的に簡単に実現できる手段によって、ケーシングプレート、たとえば自動車ラジオの正面プレートの開口部内で精密な回転が保証されている回転ノブを提供することである。
【０００７】
【課題を解決するための手段】
上記の課題を解決するために冒頭に記載した種類の回転ノブにおいて、前記連結要素が、前記操作要素内で少なくとも第１の半径方向に移動可能に配置された第１のスライド部材と、該第１のスライド部材内で第１の半径方向に対してある角度に配置された第２の半径方向に移動可能な、前記切替・制御手段の軸を保持する第２のスライド部材とを包含しているようにした。
【０００８】
連結要素が２つのスライド部材からなり、その第１のスライド部材が操作要素内で、少なくとも第１の半径方向に移動可能に配置されていて、その第２のスライド部材が、第１の半径方向に対してある角度に配置された第２の半径方向に移動可能であることによって、操作要素内の軸のいかなる偏心運動も簡単に補償される。この場合、切替・制御手段の軸が操作要素の対称軸に対して平行にずれて配置されているか、切替・制御手段の軸が操作要素の対称軸に対して少し傾いて配置されているか、あるいは切替・制御手段の軸が、たとえば軸が少し曲がることによって偏心運動を行う場合でも、操作の正確な回転が確保されている。
【０００９】
それぞれ互いにある角度で配置された半径方向で滑動できるスライド部材が互いに入れ子式に配置されていることによって、切替・制御手段の軸のそのような運動は効果的に補償されることができ、その際にケーシングプレート内における操作要素の支持が何らかの形で影響されることはない。
【００１０】
操作要素およびまた両スライド部材の構成に関して、極めて種々の構成形態が考えられる。
【００１１】
有利な構成形態は、前記操作要素が片側の開いた中空シリンダとして形成されており、該中空シリンダがその内側周縁に２つの突出部を有しているようになっている。こうすることによって、スライド部材が中空シリンダの内部に配置できるので、特にコンパクトな構造が非常に有利な仕方で可能になる。突出部によって両スライド部材の一方の回転伝動が、以下になお詳しく説明する仕方で可能になる。
【００１２】
第１および第２のスライド部材の構成に関しても、同様に極めて種々の構成形態が考えられる。
【００１３】
有利な構成形態は、第１のスライド部材が実質的に片側の開いた中空シリンダとして形成されており、その外径は前記操作要素の内径よりも小さく、そのシリンダ胴内には、互いにある角度で向き合って配置されたそれぞれ２つの開口部が設けられており、これら２つの開口部と前記操作要素の突出部が係合するようになっている。
【００１４】
第１のスライド部材と第２のスライド部材との最適な協働を可能にするために、第２のスライド部材が同様にシリンダとして形成されており、その外径は第１のスライド部材の内径より小さく、前記切替・制御手段の軸に対する軸方向に延びた保持部と、その外側周縁に配置された突起とを有していて、これらの突起が第１のスライド部材の対をなして互いに向き合う開口部と係合するようにしたことが有利である。
【００１５】
操作要素、第１のスライド部材および第２のスライド部材をこのように構成することによって、特にスペースを節約する入れ子構造が可能である。この場合には、第１のスライド部材が操作要素内に配置されていて、第２のスライド部材は第１のスライド部材内に配置されている。
【００１６】
第１のスライド部材の外径は操作要素の内径より小さく、第２のスライド部材の外径は第１のスライド部材の内径より小さいので、第１のスライド部材が操作要素内で、また第２のスライド部材が第１のスライド部材内で半径方向に滑動することが可能になる。この場合、第１のスライド部材の２つの開口部と係合する操作要素の突出部と、第１の開口部に対してある角度に設けられた２つの開口部と係合する第２のスライド部材の突起とによって、操作要素が回転する際に切替・制御手段の軸が回転不能に一緒に駆動されることが同時に確保されている。
【００１７】
純粋に原理的には、第１のスライド部材のそれぞれ向き合う開口部の間の角度は、異なる値を有することができる。しかしながら、この角度が実質的に９０°であると特に有利である。このようにすると、操作要素と切替・制御手段の軸との特に最適な連結が保証される。
【００１８】
ケーシングプレート内における操作要素の支持は、極めて種々の仕方で構成することができる。有利な構成形態は、前記操作要素のシリンダ胴の外周に、半径方向の環状の溝が設けられており、この溝が、これと相補的に形成されている、ケーシング開口部内に配置された突出部と係合するようになっている。
【００１９】
【発明の実施の形態】
以下に、本発明のその他の特徴および長所を、幾つかの実施例の図面に基づいて詳細に説明する。
【００２０】
図１および図２に示された操作要素１０の実施例は、片側が開いた中空シリンダ１１として形成されている。この中空シリンダ１１の内側周縁には、２つの突出部１２が成形されている。
【００２１】
図３および図４で全体が２０で示されている第１のスライド部材も同様に片側が開いた中空シリンダ２１として形成されている。その外径は操作要素１０の内径より小さい。中空シリンダ２１のシリンダ胴内には、それぞれ２つの互いに向き合う開口部２２、２３および２４、２５が設けられている。それぞれ２つの互いに向き合う開口部２２、２３および２４、２５は、それぞれ隣り合う開口部が互いに９０°ずれて配置されているように十文字に配置されている。
【００２２】
第１のスライド部材２０は、操作要素１０の片側が開いたシリンダ１１の内部に差し込まれていて、突出部１２は第１のスライド部材２０の互いに向き合う２つの開口部２２、２３または２４、２５と係合する。こうすることによって、一方では操作要素１０内で第１のスライド部材２０を回転不能に駆動することが可能になり、他方では第１のスライド部材２０の外径が操作要素１０の内径より小さいことにより、操作要素１０の内部でスライド部材２０は、それぞれ突出部１２と係合している、互いに向き合う両開口部２２、２３または２４、２５の方向で半径方向に自由に動くことが可能になる。
【００２３】
第１のスライド部材２０には、図５および図６に示されている第２のスライド部材３０が挿入される。
【００２４】
第２のスライド部材３０も同様にシリンダ３１として形成されており、その外径は第１のスライド部材２０の内径より小さい。第２のスライド部材はその外周に２つの突起３２、３３を有しており、これらの突起３２、３３はスライド部材３０の端面でフランジ部３４に移行している。フランジ部３４の外径は第１のスライド部材２０の外径に実質的に相応している。フランジ部３４の側には、たとえばポテンシオメータまたはその他の切替・制御手段の軸形状と相補的に形成された開口部３５が設けられている。袋孔はフランジ部３４とは反対の側に、中心に配置された半径の小さい貫通孔３６を有しているが、これは製造条件に基づくものにすぎず、必要ではない。
【００２５】
さて、第２のスライド部材３０が第１のスライド部材２０に、両方の突起３２、３３が互いに向き合う２つの開口部２２、２３または２４、２５と係合するように挿入される。
【００２６】
操作要素１０の突出部１２が開口部２４、２５と係合するときだけ、突起は開口部２２、２３と係合し、逆に操作要素１０の突出部１２が開口部２２、２３と係合するときだけ、突起３２、３３は開口部２４、２５と係合するのは自明である。言い換えれば、突起３２、３３と操作要素１０の突出部１２とは、第１のスライド部材２０の開口部と常に交互に係合する。
【００２７】
第２のスライド部材３０の外径は第１のスライド部材２０のシリンダ２１の内径より小さいので、第２のスライド部材３０は、一方では、その突起３２、３３が互いに向き合う２つの開口部２２、２３または２４、２５と係合することによって、第１のスライド部材２０によって回転不能に駆動されるが、他方では、両突起３２、３３と係合する両開口部の方向に半径方向の滑動を行うことが可能になる。第２のスライド部材３０のこの半径方向滑動は、操作要素１０内における第１のスライド部材２０の半径方向滑動に対して垂直に向けられている。
【００２８】
組み立てた状態で操作要素１０、第１のスライド部材２０および第２のスライド部材３０が協働することによって、半径方向の環状の凹部１３はこれと相補的にケーシングプレート（図示されない）に形成された突出部と係合して、操作要素１０がケーシング固定に支持されるので、たとえばポテンシオメータの（図示されない）軸が操作要素１０の対称軸に対して少しずれているか、または傾いているか、あるいは別の仕方で非円形の回転、たとえば偏心回転を有する場合でも、精密な回転が保証されていることが可能である。むしろ、操作要素１０、第１のスライド部材２０および第２のスライド部材３０からなる配置構成によって、たとえばポテンシオメータの軸の場合によって非円形の回転が、操作要素１０によって補償され、それと同時に回転が精密に伝達される。
【００２９】
この場合、回転ノブの個々の部材、すなわち操作要素１０、第１のスライド部材２０および第２のスライド部材３０は、特に簡単に製造できる。これらの部材は、たとえばプラスチック射出成型品であってよい。
【図面の簡単な説明】
【図１】本発明の回転ノブの操作要素の断面図である。
【図２】本発明の回転ノブの操作要素の底面図である。
【図３】本発明の回転ノブの第１のスライド部材の概略的な側面図である。
【図４】本発明の回転ノブの第１のスライド部材の平面図である。
【図５】本発明の回転ノブの第２のスライド部材の概略的な側面図である。
【図６】本発明の回転ノブの第２のスライド部材の底面図である。
【符号の説明】
１０  操作要素、  １１  中空シリンダ、  １３  凹部、  ２０  第１のスライド部材、  ２２  開口部、  ２３  開口部、  ２４  開口部、  ２５  開口部、  ３０  第２のスライド部材、  ３５  保持部
【図１】
0004176856.tif 000002
【図２】
0004176856.tif 000003
【図３】
0004176856.tif 000004
【図４】
0004176856.tif 000005
【図５】
0004176856.tif 000006
【図６】
0004176856.tif 000007